(57)【要約】【課題】使い勝手を良くすることができる光施療装置および電子機器を提供する。【解決手段】光施療装置１００は、青色成分の光を含む施療光を出射する第１光源１１１と、黄色成分の光を含む照明光を出射する第２光源１１２と、第１光源１１１及び第２光源１１２を制御する制御部１２１とを備える。また、施療光は、照明光よりも青色成分の光を多く含む。そして、制御部１２１は、第２光源１１２が照明光を出射している期間中の一時点において、第１光源１１１から施療光を出射させる。【選択図】図２
2018139642.tif 000002
【特許請求の範囲】
【請求項１】
青色成分の光を含む施療光を出射する第１光源と、
黄色成分の光を含む照明光を出射する第２光源と、
前記第１光源及び前記第２光源を制御する制御部とを備え、
前記施療光は、前記照明光よりも青色成分の光を多く含み、
前記制御部は、前記第２光源が前記照明光を出射している期間中の一時点において、前記第１光源から前記施療光を出射させる
光施療装置。
【請求項２】
前記第１光源は、第１領域に前記施療光を出射し、
前記第２光源は、前記第１領域と異なる第２領域に前記照明光を出射する
請求項１に記載の光施療装置。
【請求項３】
前記第２光源は、前記第１領域よりも下側の前記第２領域に前記照明光を出射する
請求項２に記載の光施療装置。
【請求項４】
前記第１光源は、前記第２光源よりも上側に配置されている
請求項１〜３のいずれか１項に記載の光施療装置。
【請求項５】
前記第１光源が出射する前記施療光の出射方向と前記第２光源が出射する前記照明光の出射方向とは、可変自在である
請求項１〜４のいずれか１項に記載の光施療装置。
【請求項６】
前記制御部は、
前記第１光源および前記第２光源を点灯させる第１モードと、
前記第１モードでの前記第２光源の明るさよりも、前記第２光源を暗く点灯させる第２モードとを切り替える
請求項１〜５のいずれか１項に記載の光施療装置。
【請求項７】
前記制御部は、
前記第１モード又は前記第２モードの場合に動作する施療モードと、
前記第２モードの場合に動作する通常モードとを切り替える
請求項６に記載の光施療装置。
【請求項８】
表示装置と、
請求項１〜７のいずれか１項に記載の光施療装置とを備え、
前記光施療装置は、前記表示装置の側方および上側の少なくともいずれかに配置される
電子機器。
【請求項９】
前記表示装置は、画面部と、前記画面部の下側に配置される操作部とを有し、
前記第２光源は、少なくとも前記操作部に前記照明光を照射する
請求項８に記載の電子機器。
【発明の詳細な説明】
【技術分野】
【０００１】
本発明は、施療効果のある光を出射する光施療装置および光施療装置を用いた電子機器に関する。
【背景技術】
【０００２】
従来、黄疸の治療および／または予防に効果のある特定の波長附近の光（施療光の一例）を多く発する黄疸治療・予防用発光源（第１光源の一例）と、黄疸治療・予防用発光源が発する光の色とほぼ補色関係にある色の光（施療光の一例）を多く発する補色用発光源（第１光源の一例）とを備える光線治療器（光施療装置の一例）が知られている（例えば特許文献１参照）。
【先行技術文献】
【特許文献】
【０００３】
【特許文献１】特開平９−２３４２５４号公報
【発明の概要】
【発明が解決しようとする課題】
【０００４】
従来の光線治療器では、施療効果を発揮するため、施療光を浴びる時間が長くなることがある。このため、この光線治療器によって施療を行っている間は、使用者が単に施療光を浴びるだけの状態となるため、他の作業を行えなくなってしまう。具体的には、使用者は、施療を行っている間は光線治療器が発する施療光を、長時間見続けなければならないため、この間は他の作業を行うことができなくなってしまう。その結果、次第に施療が長続きせず、施療を行うという意識が使用者に働き難くなる。このような光線治療器は、使い勝手が悪いため、施療光を浴びている間も、時間を有意義に活用したいという要望がある。
【０００５】
そこで本発明は、使い勝手を良くすることができる光施療装置および電子機器を提供することを目的とする。
【課題を解決するための手段】
【０００６】
本発明の一態様に係る光施療装置は、青色成分の光を含む施療光を出射する第１光源と、黄色成分の光を含む照明光を出射する第２光源と、前記第１光源及び前記第２光源を制御する制御部とを備え、前記施療光は、前記照明光よりも青色成分の光を多く含み、前記制御部は、前記第２光源が前記照明光を出射している期間中の一時点において、前記第１光源から前記施療光を出射させる。
【０００７】
また、本発明の一態様に係る電子機器は、表示装置と、光施療装置とを備え、前記光施療装置は、前記表示装置の側方および上側の少なくともいずれかに配置される。
【発明の効果】
【０００８】
本発明によれば、使い勝手を良くすることができる。
【図面の簡単な説明】
【０００９】
【図１】図１は、実施の形態に係る電子機器を示す正面図である。
【図２】図２は、実施の形態に係る電子機器を使用している状態を示すイメージ図である。
【図３】図３は、実施の形態に係る電子機器のブロック図である。
【図４】図４は、実施の形態に係る光施療装置から出射する光を示す色度図である。
【図５】図５は、実施の形態に係る光施療装置の動作を示すフローチャートである。
【図６】図６は、実施の形態の変形例１に係る電子機器を示す模式図である。
【図７】図７は、実施の形態の変形例１に係る光施療装置のブロック図である。
【図８】図８は、実施の形態の変形例２に係る電子機器を示す模式図である。
【図９】図９は、実施の形態の変形例３に係る電子機器を示す模式図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、「＊＊近傍」との記載は、「４８０ｎｍ近傍」を例に挙げて説明すると、全く同一はもとより、実質的に同一と認められるものを含む意図である。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
以下、本発明の実施の形態に係る光施療装置および電子機器について説明する。
【００１４】
［構成］
図１は、実施の形態に係る電子機器１を示す正面図である。図２は、実施の形態に係る電子機器１を使用している状態を示すイメージ図である。図３は、実施の形態に係る電子機器１のブロック図である。
【００１５】
図１に示すように、電子機器１は、表示装置１０と、２つの光施療装置１００とを備える。
【００１６】
表示装置１０は、例えばパーソナルコンピュータ、テレビジョン等であり、画面部１１と、第１操作部１３（操作部の一例）とを有する。本実施の形態では、デスクトップ型のパーソナルコンピュータを例にあげる。
【００１７】
画面部１１は、使用者が行う第１操作部１３を介した操作に応じた指示を表示する装置であり、例えばモニタである。図１に示すように、画面部１１は、使用者と向かい合うように配置され、第１操作部１３の奥側に配置される。
【００１８】
図１および図２に示すように、第１操作部１３は、使用者の操作に伴う指示を画面部１１に表示させる装置であり、例えばキーボードである。第１操作部１３は、画面部１１の下側の手前側（使用者側）に配置される。第１操作部１３は、キーボードに限定されず、使用者が視作業を行う対象となるものであれば、いかなるものでもよい。なお、画面部１１および第１操作部１３の配置は、一例であり、特に限定はされない。
【００１９】
光施療装置１００は、施療効果のある施療光と、通常の照明光とを出射する装置である。
【００２０】
ここで、施療とは、人の生理現象として、一定の時刻になると自然に眠くなり、一定時間眠ると自然に目が覚めるというリズムが約１日の周期で行われている生体リズムを改善させることである。本実施の形態では、施療の方法として、施療光を使用者に照射して生体リズムを改善させる。
【００２１】
ここで、施療光は、３８０ｎｍ以上５００ｎｍ以下の青色成分の波長を含む光である。特に、施療光は、４８０ｎｍ近傍の波長の光を、照明光よりも含む。また、照明光は、例えば、波長が３８０ｎｍ以上７８０ｎｍ以下の可視光帯域の波長の光である。照明光は、周囲を照明するための光であり、施療光のように、意図して施療を行う光ではない。
【００２２】
光施療装置１００は、使用者の操作に従って点灯、消灯等を行う装置であり、例えば、ＬＥＤ照明器具である。光施療装置１００は、明るさを調節する調光機能、色温度を調節する調色機能を有する。
【００２３】
光施療装置１００は、表示装置１０の側方および上側の少なくともいずれかに配置される。本実施の形態では、光施療装置１００は、使用者に向かって光を照射するように、表示装置１０の両側に配置されている。本実施の形態では、光施療装置１００は、上下方向に長尺であり、直立した状態で配置されている。なお、上側とは、光施療装置１００において、基台に対する本体部１０１側であり、その反対側が下側である。
【００２４】
図１および図３に示すように、光施療装置１００は、本体部１０１と、発光モジュール１１０と、制御部１２１と、タイマ部１２３と、電源部１２５と、第２操作部１２７（操作部の一例）と、基台とを有する。
【００２５】
本体部１０１は、発光モジュール１１０、制御部１２１、電源部１２５等を収容する筐体を有する。本体部１０１は、上下方向に長尺である。本体部１０１には、発光モジュール１１０が発する光が通過する開口を覆う透光性のカバーが取り付けられている。発光モジュール１１０が発した光は、カバーを介して出射される。
【００２６】
発光モジュール１１０は、電源部１２５から供給される電流により発光する第１光源１１１および第２光源１１２と、第１光源１１１および第２光源１１２を実装したそれぞれの基板とを有する。発光モジュール１１０の第１光源１１１および第２光源１１２は、カバーから光が出射するように、本体部１０１に配置されている。
【００２７】
第１光源１１１は、青色成分の光を含む施療光を出射する。青色成分の光は、３８０ｎｍ以上５００ｎｍ以下の波長の光を多く含む。第１光源１１１が出射する光（施療光）は、第２光源１１２が出射する光（照明光）よりも青色成分の光を多く含んでいる。第１光源１１１は、第１領域に施療光を出射する。本実施の形態では、第１領域は、使用者の頭部であり、主に顔である。
【００２８】
第２光源１１２は、黄色成分の光を含む照明光を出射する。黄色成分の光は、５６０ｎｍ以上６１０ｎｍ以下の波長の光を多く含む。第２光源１１２は、第１領域と異なる第２領域に照明光を出射し、第１領域よりも下側の第２領域に照明光を出射する。本実施の形態では、第２領域は、使用者が作業を行う領域であり、主に使用者の手元である。このように、第１領域および第２領域は、異なる領域であるが、使用者および使用者が作業を行う領域（動作領域）を含む。
【００２９】
第１光源１１１は光施療装置１００の上側に配置され、第２光源１１２は光施療装置１００の下側に配置されている。つまり、第１光源１１１は、第２光源１１２よりも上側に配置されている。本実施の形態では、第１光源１１１および第２光源１１２は、ともに上下方向に並ぶように配列されている。
【００３０】
第１光源１１１は、第１領域に施療光を出射するように、光施療装置１００に配置されている。また、第２光源１１２は、第１領域と異なる第２領域に光を照射するように、光施療装置１００に配置されている。具体的には、第２光源１１２は、第１領域よりも下側の第２領域に光を照射する。本実施の形態では、第１光源１１１は、使用者の顔（第１領域）に向けて光を照射する。第２光源１１２は、使用者の手元（第２領域）に向けて光を照射する。具体的には、第２光源１１２は、少なくとも第１操作部１３に照明光を照射する。
【００３１】
第１光源１１１および第２光源１１２は、例えば、ＬＥＤ（発光ダイオード）素子、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子である。
【００３２】
制御部１２１は、第１光源１１１及び第２光源１１２の調光、調色、点灯、消灯等を制御する。具体的には、調光は、制御部１２１が第１光源１１１および第２光源１１２への電流の出力を増減させることにより実現される。また、調色は、制御部１２１が第１光源１１１および第２光源１１２のそれぞれに対する供給電流のバランスを変更することで実現される。なお、制御部１２１の第１光源１１１及び第２光源１１２への供給電流の増減は、例えば、ＰＷＭ制御などにより行われる。
【００３３】
制御部１２１は、通常モードと、施療モードとを切り替える。
【００３４】
通常モードにおいて、制御部１２１は、第２光源１１２を点灯させて照明光を出射させる。本実施の形態では、通常モードにおいて、第１光源１１１から光を出射させないが、第１光源１１１から光を出射させてもよい。この場合、施療モードにおいて、通常モードで第１光源１１１が点灯する場合よりも明るい光を、第１光源１１１が出射してもよい。通常モードは、後述するリラックスモードの場合に動作する。
【００３５】
施療モードにおいて、制御部１２１は、第１光源１１１および第２光源１１２を点灯させて、照明光および施療光を出射させる。施療モードでは、制御部１２１が第２光源１１２だけでなく第１光源１１１も点灯させることで、通常モードの場合よりも、青色成分の光を含む施療光が多く出射される。施療モードは、後述する集中環境モード又はリラックスモードの場合に動作する。
【００３６】
なお、言い換えれば、通常モード又は施療モードの場合にリラックスモードが動作でき、施療モードの場合に集中環境モードが動作できる。
【００３７】
制御部１２１は、第２光源１１２が照明光を出射している期間中の一時点において、第１光源１１１から施療光を出射させる。具体的には、通常モードでは第２光源１１２を点灯させて照明光を出射させ、施療モードに切り替わると第１光源１１１および第２光源１１２を点灯させる。
【００３８】
制御部１２１は、さらに、集中環境モード（第１モードの一例）と、リラックスモード（第２モードの一例）とを切り替える。
【００３９】
集中環境モードでは、制御部１２１は、第１光源１１１および第２光源１１２を点灯させる。リラックスモードでは、第１光源１１１および第２光源１１２を点灯する場合と、第２光源１１２だけが点灯する場合とがある。
【００４０】
リラックスモードでは、制御部１２１は、集中環境モードでの第２光源１１２の明るさよりも、第２光源１１２を暗く点灯させる。言い換えれば、制御部１２１は、集中環境モードでの第２光源１１２が出射する光の明るさを、リラックスモードでの第２光源１１２が出射する光の明るさよりも暗くする。なお、制御部１２１は、さらに、集中環境モードでの第１光源１１１が出射する光の明るさを、リラックスモードでの第１光源１１１が出射する光の明るさよりも大きくしてもよい。つまり、集中環境モードでは、制御部１２１が積極的な施療を行うように、第１光源１１１および第２光源１１２の点灯を制御してもよい。
【００４１】
次に、集中環境モードおよびリラックスモードについて、図４を用いて具体的に説明する。
【００４２】
図４は、実施の形態に係る光施療装置１００から出射する光を示す色度図である。
【００４３】
図４の色度図では、範囲Ａ１の光と範囲Ａ２の光とを出射した場合に、範囲Ａ１と範囲Ａ２との間にある実線の範囲Ｂ１の光（集中環境モード）が光施療装置１００から出射される。つまり、範囲Ｂ１の光は、範囲Ａ１の光と範囲Ａ２の光との合成光である。範囲Ｂ１の光が、施療モードにおいて出射する光の一例である。範囲Ｂ１の光は、例えば色温度が約６５００Ｋであり、例えば集中して仕事等を行うオフィスに適しており、使用者は、作業環境の文字をくっきり見ることができる効果がある。範囲Ｂ１の光は、集中環境に適した光である。
【００４４】
ここで、範囲Ａ１の光は、青色成分の波長の光を多く含み、範囲Ａ２、Ａ３の光は、黄色成分の波長から赤色成分に近づく波長の光を多く含んでいる。つまり、施療光には、照明光に比べて範囲Ａ１の青色成分の光が多く含まれ、照明光には、施療光に比べて範囲Ａ２近傍又は第３範囲近傍の黄色成分の光が多く含まれる。
【００４５】
ここでいう合成光は、例えば、使用者の顔に施療光が照射され、使用者の手元に照明光が照射されている場合に、施療光を介して視た照明光（使用者が手元を見て認識した光）である。
【００４６】
また、範囲Ａ１の光と範囲Ａ３の光とを出射した場合に、範囲Ａ１と範囲Ａ３との間にある実線の範囲Ｂ２の光（リラックスモード）が光施療装置１００から出射される。つまり、範囲Ｂ２の光は、範囲Ａ１の光と範囲Ａ３の光との合成光である。範囲Ｂ２の光が、通常モードにおいて出射する光の一例である。範囲Ｂ２の光は、例えば色温度が約３５００Ｋであり、例えば団らん等を行うといったリラックスできる環境に適しており、使用者は、温かみを感じることができる効果がある。範囲Ｂ２の光は、リラックス環境に適した光である。
【００４７】
図１に示すように、タイマ部１２３は、制御部１２１に接続され、第１光源１１１および第２光源１１２が施療光を出射する時間を計測する装置である。タイマ部１２３は、計測時間を制御部１２１に送信する。タイマ部１２３の設定は、第２操作部１２７を用いて使用者が施療を行う時間を設定することができてもよい。なお、光施療装置１００は、タイマ部１２３に設定した時間を記憶する不揮発性の記憶装置を備えていてもよい。記憶部としては、例えばフラッシュメモリまたはＥＥＰＲＯＭなどの半導体メモリが採用される。
【００４８】
電源部１２５は、系統電力から供給された交流電力を直流電力に変換するダイオードブリッジ型の整流回路と、ＤＣ−ＤＣコンバータとを有する。なお、電源部１２５は、整流回路及びＤＣ−ＤＣコンバータと同等の機能を有する１つのＩＣ（Ｉｎｔｅｇｒａｔｅｄ  Ｃｉｒｃｕｉｔ）で実現されてもよい。電源部１２５は、制御部１２１に制御されて第１光源１１１、第２光源１１２等の各部に電力を供給する。
【００４９】
本実施の形態では、第２操作部１２７は、電源スイッチ１２７ａ、施療選択スイッチ１２７ｂ、光環境選択スイッチ１２７ｃを有する。
【００５０】
電源スイッチ１２７ａは、光施療装置１００の電源をＯＮ、ＯＦＦするための操作スイッチであり、電源スイッチ１２７ａをＯＮにすると電源部１２５から制御部１２１に電力が供給される。施療選択スイッチ１２７ｂは、施療モードと、通常モードとを切換えることが可能な操作スイッチである。例えば、施療モードをＯＮにすることにより、通常モードよりも青色成分の光を多く含む施療光を第１光源１１１から出射される。光環境選択スイッチ１２７ｃは、集中環境に適した光の出射と、又は、リラックス環境に適した光の出射とを切換えることが可能な操作スイッチである。つまり、第２光源１１２から、図４の範囲Ａ２の光又は図４の範囲Ａ３の光が出射される。
【００５１】
第２操作部１２７は、基台における使用者側の側面に配置されている。なお、第２操作部１２７は、基台に設けられていなくてもよく、例えば本体部１０１に設けられていてもよく、配置について特に限定されない。また、リモートコントローラを介して光施療装置１００を操作することができてもよく、第２操作部１２７が光施療装置１００に設けられることが必須の構成要件ではない。さらに、第２操作部１２７は、機械式の押しボタンでもよく、静電容量式のタッチパネルでもよい。
【００５２】
基台は、本体部１０１を支持する台である。基台は、電源スイッチ１２７ａ、施療選択スイッチ１２７ｂ、光環境選択スイッチ１２７ｃを側面から露出した状態で、内部に第２操作部１２７を収容している。
【００５３】
［動作］
本実施の形態における光施療装置１００の動作について、図５を用いて説明する。
【００５４】
図５は、実施の形態に係る光施療装置１００の動作を示すフローチャートである。
【００５５】
図５に示すように、使用者は、電源スイッチ１２７ａを押下して、光施療装置１００の電源をＯＮにする。このフローチャートでは、光施療装置１００が起動している場合での動作について説明する。
【００５６】
まず、制御部１２１は、光環境選択スイッチ１２７ｃによって集中環境モードが選択されているか否かを判断する（Ｓ１）。
【００５７】
集中環境モードが選択されていると、制御部１２１が判断した場合（Ｓ１ではＹＥＳ）に、制御部１２１は、施療選択スイッチ１２７ｂによって施療モードが選択されているか否かを判断する（Ｓ２）。なお、ステップＳ１とステップＳ２とのフローは、順番が逆であってもよい。
【００５８】
一方、施療選択スイッチ１２７ｂによって通常モードが選択されていると、制御部１２１が判断した場合に（Ｓ２ではＮＯ）、第１光源１１１が施療光を出射しないため、集中環境モードにすることができない。このため、ステップＳ１に戻る。
【００５９】
施療選択スイッチ１２７ｂによって施療モードが選択されていると、制御部１２１が判断した場合に（Ｓ２ではＹＥＳ）、制御部１２１が第１光源１１１および第２光源１１２を、施療モード、かつ、集中環境モードで点灯するように制御する（Ｓ３）。
【００６０】
次に、制御部１２１は、タイマ部１２３から受信する時間から、施療モード開始からタイマ部１２３で設定した所定時間が経過しているか否かを判断する（Ｓ４）。
【００６１】
施療モード開始から所定時間が経過していると、制御部１２１が判断した場合（Ｓ４ではＹＥＳ）に、制御部１２１は、光施療装置１００の電源をＯＦＦにする（Ｓ５）。そして、このフローは終了する。なお、このフローチャートでは、ステップＳ４の処理をした後に、ステップＳ１３に進んでもよい。
【００６２】
一方、施療モード開始から所定時間が経過していないと、制御部１２１が判断した場合（Ｓ４ではＮＯ）に、ステップＳ４に戻り同様の判断を行う。
【００６３】
また、リラックスモードが選択されていると、制御部１２１が判断した場合（Ｓ１ではＮＯ）に、制御部１２１は、施療選択スイッチ１２７ｂによって施療モードが選択されているか否かを判断する（Ｓ１１）。
【００６４】
施療選択スイッチ１２７ｂによって施療モードが選択されていると、制御部１２１が判断した場合に（Ｓ１１ではＹＥＳ）、制御部１２１が第１光源１１１および第２光源１１２を、施療モード、かつ、リラックスモードで点灯するように制御する（Ｓ１２）。つまり、第２光源１１２が出射する光の明るさを、通常モードでの第２光源１１２が出射する光の明るさよりも暗くする。そして、ステップＳ４に進み、同様のフローが行われる。
【００６５】
一方、施療選択スイッチ１２７ｂによって通常モードが選択されていると、制御部１２１が判断した場合に（Ｓ１１ではＮＯ）、制御部１２１は、第２光源１１２を、リラックスモード、かつ、通常モードで点灯するように制御する（Ｓ１３）。そして、ステップＳ４に進み、同様のフローが行われる。
【００６６】
このような、光施療装置１００では、使用者の頭部に第１光源１１１の施療光が照射され、使用者の手元に第２光源１１２の照明光が照射されるため、使用者は、作業をしながら第１光源１１１の施療光で施療を行うことができるとともに、第２光源１１２の照明光で手元の作業場所が照らされる。このため、使用者の顔は、照明光の影響をほとんど受けることがないとともに、使用者の手元は、施療光の影響を、ほとんど受けることがない。このため、光施療装置１００では、使用者の作業を阻害し難い。その結果、光施療装置１００では、使用者が作業を行いながら施療を行うことができるため、使い勝手がよい。また、光施療装置１００を備えたパーソナルコンピュータ等において好適である。
【００６７】
また、この光施療装置１００では、集中環境モードおよびリラックスモードのいずれかを選択し、さらに、施療モードと通常モードとを選択することで、使用者の使用態様に応じた施療を行うことができる。
【００６８】
［作用効果］
次に、本実施の形態おける光施療装置１００および電子機器１の作用効果について説明する。
【００６９】
上述したように、本実施の形態に係る光施療装置１００は、青色成分の光を含む施療光を出射する第１光源１１１と、黄色成分の光を含む照明光を出射する第２光源１１２と、第１光源１１１及び第２光源１１２を制御する制御部１２１とを備える。また、施療光は、第２光源１１２が出射する光よりも青色成分の光を多く含む。そして、制御部１２１は、第２光源１１２が照明光を出射している期間中の一時点において、第１光源１１１から施療光を出射させる。
【００７０】
これによれば、第１光源１１１が施療光を照射し、第２光源１１２が照明光を照射する。また、第１光源１１１が施療光を照射している期間中の一時点において、第２光源１１２も照明光を照射する。このため、使用者は、第１光源１１１の施療光で施療を行いながら、第２光源１１２の照明光で視作業を行うことができる。
【００７１】
したがって、この光施療装置１００では、使い勝手を良くすることができる。
【００７２】
また、本実施の形態に係る電子機器１は、表示装置１０と、光施療装置１００とを備える。そして、光施療装置１００は、表示装置１０の側方および上側の少なくともいずれかに配置される。
【００７３】
これによれば、電子機器１の側方および上側に配置すれば、より好適に光施療装置１００を使用することができる。
【００７４】
また、本実施の形態に係る光施療装置１００において、第１光源１１１は、第１領域に施療光を出射する。そして、第２光源１１２は、第１領域と異なる第２領域に照明光を出射する。
【００７５】
同じ領域に施療光と照明光とを照射した場合では、顔に照射すると眩しく感じ、手元に照射すると施療効果を得ることができないが、この構成の様に、第１光源１１１が出射する施療光の第１領域と第２光源１１２が出射する照明光の第２領域とが異なっているため、使用者に施療効果を与えつつ、視作業を行い易くさせることができる。
【００７６】
また、本実施の形態に係る光施療装置１００において、第２光源１１２は、第１領域よりも下側の第２領域に照明光を出射する。
【００７７】
この構成によれば、例えば、使用者の顔に第１光源１１１の施療光を照射し、使用者の手元に第２光源１１２の照明光を、所望の場所に照射し易くなる。
【００７８】
また、本実施の形態に係る光施療装置１００において、第１光源１１１は、第２光源１１２よりも上側に配置されている。
【００７９】
これによれば、第１光源１１１を第２光源１１２よりも上側に配置しているため、第１光源１１１の施療光が使用者の顔に照射し易くなり、第２光源１１２の照明光が使用者の手元に照射し易くなる。
【００８０】
また、本実施の形態に係る光施療装置１００において、制御部１２１は、第１光源１１１および第２光源１１２を点灯させる集中環境モードと、集中環境モードでの第２光源１１２の明るさよりも、第２光源１１２を暗く点灯させるリラックスモードとを切り替える。
【００８１】
これによれば、集中環境モードで第２光源１１２が出射する照明光の明るさよりも、リラックスモードで第２光源１１２が出射する照明光の明るさの方が暗いため、使用者の環境に応じた照明を行うことができる。
【００８２】
また、本実施の形態に係る光施療装置１００において、制御部１２１は、集中環境モード又はリラックスモードの場合に動作する施療モードと、リラックスモードの場合に動作する通常モードとを切り替える。
【００８３】
これによれば、制御部１２１が施療モードと通常モードとを切り替えるため、施療したい場合には施療モードで施療光を浴び、周囲を照明したい場合には通常モードで点灯させることができるため、使用者の使い勝手がよくなる。
【００８４】
また、本実施の形態に係る電子機器１において、表示装置１０は、画面部１１と、画面部１１の下側に配置される第１操作部１３とを有する。そして、第２光源１１２は、少なくとも第１操作部１３に照明光を照射する。
【００８５】
これによれば、使用者の手元にある第１操作部１３は、第２光源１１２により照明光で照らされ易くなる。また、第２光源１１２の照明光が第１操作部１３を照らすため、施療光ではない光を使用者の眼に入光させることを抑制することができる。
【００８６】
（実施の形態の変形例１）
以下、本変形例に係る光施療装置２０１および電子機器２００の構成について、図６および図７を用いて説明する。
【００８７】
図６は、実施の形態の変形例１に係る電子機器２００を示す模式図である。図７は、実施の形態の変形例１に係る光施療装置２０１のブロック図である。
【００８８】
本変形例では、表示装置２０２の画面部２０２ａに光施療装置２０１が固定されている点で実施の形態と相違する。
【００８９】
本変形例における他の構成は、実施の形態の構成と同様であり、同一の構成については同一の符号を付して構成に関する詳細な説明を省略する。
【００９０】
図６および図７に示すように、本変形例において、表示装置２０２は、ノートパソコンである。表示装置２０２は、本体部２１０と、本体部２１０の一端縁で、本体部２１０に対して回動可能に接続された画面部２０２ａとを有する。
【００９１】
画面部２０２ａには、本体部２１０側を除いて画面部２０２ａの周囲を囲むように、光施療装置２０１が固定されている。具体的には、光施療装置２０１は、逆Ｕ字状をなし、画面部２０２ａに対して着脱可能である。
【００９２】
光施療装置２０１を画面部２０２ａに固定する手段は、光施療装置２０１が画面部２０２ａの側面から挟み込むことで光施療装置２０１が画面部２０２ａに固定されてもよく、ネジ等の固定部材で画面部２０２ａに固定されてもよく、固定する手段については特に限定されない。
【００９３】
光施療装置２０１を画面部２０２ａに装着した状態において、光施療装置２０１は、第１光源２１１が画面部２０２ａの上側に配置され、第２光源２１２が画面部２０２ａの両側に配置される。
【００９４】
光施療装置２０１は、例えばＵＳＢ（Ｕｎｉｖｅｒｓａｌ  Ｓｅｒｉａｌ  Ｂｕｓ）等の接続規格に適合する接続端子を本体部２１０の接続端子に接続することで、電力が供給される。
【００９５】
本変形例における他の作用効果についても、実施の形態と同様の作用効果を奏する。
【００９６】
（実施の形態の変形例２）
以下、本変形例に係る光施療装置３０１および電子機器３００の構成について、図８を用いて説明する。
【００９７】
図８は、実施の形態の変形例２に係る電子機器３００を示す模式図である。
【００９８】
本変形例では、表示装置３０２の画面部３０２ａの上側に光施療装置３０１が固定されている点で実施の形態の変形例１と相違する。
【００９９】
本変形例における他の構成は、実施の形態の構成と同様であり、同一の構成については同一の符号を付して構成に関する詳細な説明を省略する。
【０１００】
図８に示すように、本変形例の光施療装置３０１は、動物のカバをモチーフにしたマスコットである。なお、光施療装置３０１の形状は、カバに限定されず、マスコットであれば如何様な形状でもよい。
【０１０１】
第１光源３１１および第２光源３１２は、光施療装置３０１の形状である、カバの口の内部に設けられている。
【０１０２】
光施療装置３０１は、画面部３０２ａの上側に配置され、画面部３０２ａの前後から挟み込むように画面部３０２ａに固定されている。具体的には、光施療装置３０１は、カバの足状をなした２本の第１支持部３０８（カバの前足）と、２本の第２支持部３０９（後足）とを有し、第１支持部３０８と第２支持部３０９とで画面部３０２ａを挟むように固定されている。なお、前側とは光施療装置３０１に対して使用者側であり、後側とは前側の反対である。
【０１０３】
光施療装置３０１は、第１支持部３０８と第２支持部３０９とにより、第１光源３１１が出射する施療光の出射方向と第２光源３１２が出射する照明光の出射方向とが可変自在に画面部３０２ａに設けられる。つまり、光施療装置３０１は、第１支持部３０８および第２支持部３０９の挟み方を変更することで、可変自在に画面部３０２ａに設けられる。
【０１０４】
例えば、第１支持部３０８と第２支持部３０９とがクリップを構成し、第１支持部３０８と第２支持部３０９とで画面部３０２ａを挟むことで実現してもよい。また、カバの頭部がカバの胴体に対して上下に回動可能であり、頭部を回動させることで第１光源３１１および第２光源３１２が出射する光の出射方向を可変自在にしてもよい。
【０１０５】
このような、本変形例に係る光施療装置３０１において、第１光源３１１が出射する施療光の出射方向と第２光源３１２が出射する照明光の出射方向とは、可変自在である。
【０１０６】
この構成によれば、光施療装置３０１を動かすだけで、第１光源３１１の施療光および第２光源３１２の照明光の出射方向を変更することができる。
【０１０７】
本変形例における他の作用効果についても、実施の形態と同様の作用効果を奏する。
【０１０８】
（実施の形態の変形例３）
以下、本変形例に係る光施療装置４０１および電子機器４００の構成について、図９を用いて説明する。
【０１０９】
図９は、実施の形態の変形例３に係る電子機器４００を示す模式図である。
【０１１０】
本変形例では、表示装置４０２の画面部４０２ａの上側および下側に光施療装置４０１が固定されている点で実施の形態の変形例１と相違する。
【０１１１】
本変形例における他の構成は、実施の形態の構成と同様であり、同一の構成については同一の符号を付して構成に関する詳細な説明を省略する。
【０１１２】
図９に示すように、本変形例における表示装置４０２は、例えばデスクトップ型のパソコンである。画面部４０２ａには、２つの光施療装置４０１が固定されている。具体的には、画面部４０２ａの上側に一方の光施療装置４０１が固定され、画面部４０２ａの下側に他方の光施療装置４０１が固定されている。
【０１１３】
一方の光施療装置４０１は、第１光源４１１を収容する長尺な本体カバーと、本体カバーの両端側に設けられた一対の第１保持部４１１ａと、第１光源４１１とを有する。一方の光施療装置４０１を画面部４０２ａに装着した際に、第１光源４１１は、画面部４０２ａの上側を沿うように並んでいる。第１保持部４１１ａは、一方の光施療装置４０１を画面部４０２ａに装着した際に、画面部４０２ａの両側面を挟み込む。こうすることで、一方の光施療装置４０１は、画面部４０２ａの上側に固定される。
【０１１４】
他方の光施療装置４０１は、第２光源４１２を収容する長尺な本体カバーと、本体カバーの両端側に設けられた一対の第２保持部４１２ａと、第２光源４１２と、第２操作部１２７とを有する。他方の光施療装置４０１を画面部４０２ａに装着した際に、第２光源４１２は、画面部４０２ａの下側を沿うように並んでいる。第２保持部４１２ａは、他方の光施療装置４０１を画面部４０２ａに装着した際に、画面の両側面を挟み込む。こうすることで、他方の光施療装置４０１は、画面部４０２ａに固定される。
【０１１５】
なお、光施療装置４０１を画面部４０２ａに固定する手段は第１保持部４１１ａおよび第２保持部４１２ａに限らず、例えばクリップ等の固定部材により光施療装置４０１を画面部４０２ａに固定してもよい。
【０１１６】
第２操作部１２７は、第２保持部４１２ａに配置されている。なお、第２操作部１２７は、第１保持部４１１ａに設けられていてもよい。
【０１１７】
本変形例における他の作用効果についても、実施の形態と同様の作用効果を奏する。
【０１１８】
（その他の実施の形態）
以上、実施の形態および実施の形態の変形例１〜３について説明したが、本発明は、上記実施の形態および実施の形態の変形例１〜３に限定されるものではない。
【０１１９】
例えば、上記実施の形態において、制御部は、施療モードと通常モードとを有しているが、施療モードにおいて段階的に施療光の明るさを変化することができてもよい。
【０１２０】
また、上記実施の形態において、図４に示すように、制御部は、範囲Ｂ１の光を照射する集中環境モードと、範囲Ｂ２の光を照射するリラックスモードとを有しているが、これに限定されず、範囲Ａ１と範囲Ｂ１とで結ばれる領域内の光を選択的に照射することができてもよく、範囲Ａ１と範囲Ｂ２とで結ばれる領域内の光を選択的に照射することができてもよい。
【０１２１】
また、上記実施の形態において、図４に示すように、第２光源が出射する光の範囲は、範囲Ａ２、Ａ３に限定されず、範囲Ａ２、Ａ３近傍の範囲であってもよい。範囲Ａ２、Ａ３近傍の範囲は、例えば、５６０ｎｍ以上６１０ｎｍ以下の波長の光を多く含む色度図の黄色成分の領域である。
【０１２２】
また、上記実施の形態において、第１光源が上側に配置され、第２光源が下側に配置されるが、実施の形態には限定されない。第１光源の施療光が顔（第１領域）に照射し、第２光源の施療光が第１操作部（第２領域）に照射すればよく、第１光源および第２光源の配置は特に限定されない。
【０１２３】
以上、本発明の一つまたは複数の態様について、実施の形態および実施の形態の変形例１〜３に基づいて説明したが、本発明は、この実施の形態および実施の形態の変形例１〜３に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【０１２４】
１、２００、３００、４００  電子機器
１０、２０２、３０２、４０２  表示装置
１１、２０２ａ、３０２ａ、４０２ａ  画面部
１３  第１操作部（操作部）
１００、２０１、３０１、４０１  光施療装置
１１１、２１１、３１１、４１１  第１光源
１１２、２１２、３１２、４１２  第２光源
１２１  制御部
１２７  第２操作部（操作部）
【図１】
2018139642.tif 000003
【図２】
2018139642.tif 000004
【図３】
2018139642.tif 000005
【図４】
2018139642.tif 000006
【図５】
2018139642.tif 000007
【図６】
2018139642.tif 000008
【図７】
2018139642.tif 000009
【図８】
2018139642.tif 000010
【図９】
2018139642.tif 000011